(57)【特許請求の範囲】
【請求項１】
左右両端側を進行方向に湾曲する略弓型形状に形成したスキージフレームの前後のフレーム面に間隔をあけて２枚の可撓性スキージブレードを取付け、これ等前後のスキージブレードによって構成されるスキージ間隔内にブロアーの吸引作用を及ぼすことによって、洗浄ブラシ又はパッドの洗浄回転によって生じる洗浄汚水を床面から吸引するように構成した床面洗浄機用スキージであって、
上記スキージフレームの上面中央部分に、上記ブロアーの吸引作用をスキージフレームの上面に設けた吸引管を通して上記のスキージ間隔内に及ぼすことができる通気穴を開口形成し、この通気穴の下側で、且つ、上記スキージフレームの中央底面部分に、スキージフレームの通気穴とスキージ間隔の間を仕切り、且つ、スキージの進行方向に対して後方側に、これ等スキージフレームの通気穴とスキージ間隔の間を連通する細長い開口形状の連通路を開口したボトムプレートを、取付ネジにて取付け固定すると共に、スキージフレームに取付けた前後のスキージブレードのうち、スキージの進行方向に対して前側のスキージブレードの下端縁に多数の切欠溝を間隔的に設けて、これ等各切欠溝の間隔を、スキージの両端側に行くに従って狭くなるように構成したことを特徴とする床面洗浄機用スキージ。
【請求項２】
ブロアーの吸引作用をスキージ間隔内に及ぼした際の上記ボトムプレートの下側に位置する前記スキージフレームと前後のスキージブレードと床面とで形成される空間の断面積を（Ｃ）とし、ボトムプレートの連通路の断面積を（Ｂ）とし、上記吸引管の断面積を（Ａ）とした場合に、各断面積の関係がＣ＜Ｂ＜Ａと成るように構成したことを特徴とする請求項１に記載の床面洗浄機用スキージ。
【請求項３】
前記各断面積Ａ，Ｂ，Ｃの関係が、Ｂ＝０．１Ａ〜０．３Ａ，Ｃ＝０．０５Ａ〜０．２Ａと成るように構成したことを特徴とする請求項２に記載の床面洗浄機用スキージ。
【発明の詳細な説明】
【０００１】
【発明の属する技術分野】
本発明は、車体を移動させながら洗浄液の散布と洗浄ブラシ又はパッドの回転を行って床面を洗浄する床面洗浄機の技術分野に属するものであって、具体的には、洗浄ブラシ又はパッドの回転によって洗浄した後に生じる洗浄汚水を、ブロアーの吸引作用によって床面から吸引して回収する床面洗浄機用スキージに関するものである。
【０００２】
【従来の技術】
床面洗浄機用スキージに関しては、従来より、例えば実開昭６３−１８９６６号公報や、特開平９−２９９３０３号公報等に見られるように、前後２枚のスキージブレード（ゴムブレード）の間隔内に、ブロアーの吸引作用を及ぼして床面から洗浄汚水を吸引、回収する形式のものが使用されている。
【０００３】
【発明が解決しようとする課題】
しかし、上記従来のスキージは、図１２に示すようにいずれもスキージフレーム３１の中央部にブロアー側の吸引ホースを接続する吸引管３０を設け、このスキージフレーム３１の両側に取付けた前後のスキージブレード３２，３３の間隔３１Ｘ内に、通気穴３０Ａを通して吸引作用を及ぼす構成に成っているため、スキージの中央部分に対しては強力な吸引作用を発揮できるが、全体を横長に形成したスキージの左右両端側に対しては充分な吸引作用を及ぼすことができず、その結果、汚水の回収率が不充分で、床面に汚水の吸い残しが発生する問題があった。因みに、上記従来のスキージの平均汚水回収率は９１．１％前後であって、実験によると、例えば２０リットルの洗浄液を散布した場合に、その回収量は１８．２２リットル前後で、可成りの量の洗浄液が床面に残ってしまうことが判明した。
【０００４】
また、床面上に髪の毛の様な細長い糸状のゴミが存在する場合に、この床面Ｆを床面洗浄機で洗浄して汚水をスキージで吸引すると、上記糸状のゴミがスキージブレード３２，３３に絡み付いて吸引性能を低下させる一方、床面Ｆ上には絡み付いた糸状のゴミによって細い筋状の吸い残し跡が残ってしまって、仕上がりを汚くしてしまう問題があった。
【０００５】
従って本発明の技術的課題は、ブロアーの吸引作用をスキージ全体に行き渡らせて吸引性能を高めることにより、スキージの汚水回収率を向上させると共に、スキージに糸状のゴミ等が絡み付いても、床面に細い筋状の吸い残し跡が残らないように工夫した床面洗浄機用スキージを提供することである。
【０００６】
【課題を解決するための手段】
（１）  上記の技術的課題を解決するために、本発明では前記請求項１に記載の如く、左右両端側を進行方向に湾曲する略弓型形状に形成したスキージフレームの前後のフレーム板に間隔をあけて２枚の可撓性スキージブレードを取付け、これ等前後のスキージブレードによって構成されるスキージ間隔内にブロアーの吸引作用を及ぼすことによって、洗浄ブラシ又はパッドの洗浄回転によって生じる洗浄汚水を床面から吸引するように構成した床面洗浄機用スキージであって、上記スキージフレームの上面中央部分に、上記ブロアーの吸引作用をスキージフレームの上面に設けた吸引管を通して上記のスキージ間隔内に及ぼすことができる通気穴を開口形成し、この通気穴の下側で、且つ、上記スキージフレームの中央底面部分に、スキージフレームの通気穴とスキージ間隔の間を仕切り、且つ、スキージの進行方向に対して後方側に、これ等スキージフレームの通気穴とスキージ間隔の間を連通する細長い開口形状の連通路を開口したボトムプレートを、取付ネジにて取付け固定すると共に、スキージフレームに取付けた前後のスキージブレードのうち、スキージの進行方向に対して前側のスキージブレードの下端縁に多数の切欠溝を間隔的に設けて、これ等各切欠溝の間隔を、スキージの両端側に行くに従って狭くなるように構成している。
【０００７】
上記（１）の手段によれば、ボトムプレートの細長い開口形状の連通路を通って前後のスキージブレードの間隔内に及んだブロアーの吸引作用によって、床面上の汚水を先ず上記の連通路を通してボトムプレート上のスキージフレームの間隔内に吸引し、次いで、この汚水を通気穴から吸引管よりフレキシブルホース等を通してブロアー側へ送り出すことができるため、床面上の汚水をスキージブレードの間隔内より直接吸引管及びフレキシブルホース等を通してブロアー側に吸引する従来のスキージに比較して、吸引効率を高めて汚水の回収率を向上させることを可能にする。
【０００８】
更に、ブロアーによるスキージ内部の吸引力は、中央部よりスキージの両端部の方向、即ち、中央部より離れる方向に進むに従って弱くなるが、上記１で述べた手段によれば、進行方向に対して前側のスキージブレードに設ける切欠溝の間隔を、スキージの先端部に行くに従って狭く構成して、スキージ内部に吸引される汚水の量（外部空気の量）を多くするようにしたため、スキージの全長にわたって略均一の吸引力を発揮することを可能にする。
【０００９】
（２）  また、本発明では前記請求項２に記載の如く、ブロアーの吸引作用をスキージ間隔内に及ぼした際の上記ボトムプレートの下側に位置する前記スキージフレームと前後のスキージブレードと床面とで形成される空間の断面積を（Ｃ）とし、ボトムプレートの連通路の断面積を（Ｂ）とし、上記吸引管の断面積を（Ａ）とした場合に、各断面積の関係がＣ＜Ｂ＜Ａと成るように構成している。
【００１０】
（３）  また、本発明では前記請求項３に記載の如く、前記各断面積Ａ，Ｂ，Ｃの関係が、Ｂ＝０．１Ａ〜０．３Ａ，Ｃ＝０．０５Ａ〜０．２Ａと成るように構成している。
【００１１】
上記（２）と（３）に記載の手段によれば、スキージ内に於ける吸引経路の断面積を、Ｃ＜Ｂ＜Ａの関係、即ち、先に行くに従って段階的に小さくなるように構成したため、床面からの汚水の吸引を強い力で確実に行うことができると共に、吸引した汚水をブロアーに向けて円滑に送り出すことを可能にする。
【００１２】
以上述べた次第で、上記（１）〜（３）の手段によって上述した技術的課題を解決して、前記従来の技術の問題点を解消することができる。
【００１３】
【発明の実施の形態】
以下に、上述した本発明に係る床面洗浄機用スキージの実施の形態を図面と共に説明すると、図１は本発明のスキージを実施した床面洗浄機の全体を説明した側断面図、図２はその平断面図であって、これ等の図面に於いて、符号１で全体的に示したのは床面洗浄機の車体で、その全体は上半分の蓋体部１Ｙと、この蓋体部１Ｙを蝶番等の接続金具（図示省略）を用いて開閉作動自在、又は、取外し自在に取付けた下半分の車体部１Ｘとによって構成されている。
【００１４】
上記蓋体部１Ｙは、その略全体が合成樹脂材料等を用いて空洞状の汚水タンク１０に成っていて、上面部には開閉蓋１０Ａを備え、また、内底部の中央に凹設した区画室の内部には、直流モータ７Ｍによって作動する吸引ブロアー７が取付けられていて、この吸引ブロアー７の吸引作用が汚水タンク１０の内部から回収ホース８（フレキシブルホース）を通して機体１の後部に設けた本発明に係るスキージ２０に及んで、後述する洗浄ブラシ（パッド）の回転洗浄によって床面上に残った汚水ＤＷを、上記の回収ホース８からその先端口８Ａを通して汚水タンク１０内に吸引回収する仕組に成っている。
【００１５】
また、上記の車体部１Ｘは、全体が同じく合成樹脂材料等を用いて上面とその一端面（図面では右端面）が開放された略箱形状に造られていて、その左端面  （前面側）と左右の両側壁、及び、底板のいずれもが、互いに連通する空洞状の洗浄液ＣＷ用の洗浄液タンク９Ａ，９Ｂに成っており、且つ、上面と右端面側を開放したこの車体部１Ｘの内部スペースは、電源用のバッテリー６と洗浄ブラシ５を回転するモータ４Ｍの設置スペースに成っている。
【００１６】
上記のブラシ用モータ４Ｍを搭載する車体部１Ｘ内の底板部分には、モータ台を用いて上記のモータ４Ｍを固定すると共に、その下側に減速機を介して回転軸４Ｘを突出し、この回転軸４Ｘに設けた取付盤４に洗浄ブラシ５（パッド）を取付けて高速回転する一方、この洗浄ブラシ５に上記洗浄液タンク９Ａ，９Ｂから洗浄液ＣＷをポンプ（図示省略）にて給水することによって、床面を洗浄するように構成されている。
【００１７】
更に図中、２，３はこの車体部１Ｘの底部に取付けた走行用車輪で、これ等車輪のうち特に後部の車輪２は、モータ（図示省略）によって回転する駆動車輪と成っている。また、１Ｔは運転用ハンドル、１Ｐは車体１の後部に設けた操作パネル、１１は汚水タンク１０に接続した汚水排水用ホース、９Ｙは蓋体部の前面部分に開口した洗浄液ＣＷを洗浄液タンク９Ａ，９Ｂに給水するための給水口、９Ｘはこの給水口９Ｙを覆う開閉蓋、８Ｂは前記回収ホース８の下端口を接続する前記スキージ２０の吸引管、１２は車体１の後部に設けた上記吸引ブロアー用モータ７ＭのＯＮ／ＯＦＦと、スキージ２０の昇降を行うスキージレバー、１３はブラシ接地圧調節レバー、２０′はスキージ２０を車体１の後部に連結する連結板を示す。
【００１８】
図３は、前記本発明に係るスキージ２０の構成を説明した正面図、図４の（イ）図はその平面図、（ロ）図は底面図であって、これ等の図面に於いて８Ｃは前記吸引管８Ｂの下側に連設したノズル、２０Ｔは左右の両端側をスキージ２０の進行方向に湾曲させることによって、平面視の形状を図２並びに図４の各図に示すように略弓型状に形成すると共に、断面を下向きの略コ字状に形成したスキージフレームで、スキージフレーム２０Ｔの上面中央部分に設けた通気穴２０Ｚの上面口縁部分に、上記吸引管８Ｂのノズル８Ｃに連設したフランジ８Ｔをネジ２６，２６で固定することにより、吸引管８Ｂをスキージフレーム２０Ｔの上面中央部に上記の通気穴２０Ｚに連通させた状態で取付ける仕組に成っている。
【００１９】
２１と２２は、上記スキージフレーム２０Ｔの内側と外側（進行方向に対して前側と後側）のフレーム板に、取付ネジ２４…を用いて前後に間隔をあけて取付けた前側と後側の各スキージブレード、２３，２３はスキージ２０の両端に取付けたガイドローラ、図３、図５、図６に於いて２１Ｒと２２Ｒは両スキージブレード２１，２２をスキージフレーム２０Ｔの前後のフレーム面に取付けるに当って、その外側面に添わせた添え板で、図８乃至図１１に於いて、２０Ｒは上記前後のスキージブレード２１，２２によって構成されるスキージ間隔であって、このスキージ間隔２０Ｒに対して、上記の回収ホース８と吸引管８Ｂとノズル８Ｃと通気穴２０Ｚを通して、前記吸引ブロアー７の吸引作用が及ぶように構成されている。
【００２０】
尚、上述したスキージフレーム２０Ｔは、図４の記載から明らかな如く通気穴２０Ｚを開口形成した中央部分の横幅が最も広く構成され、左右先端側に行くに従ってその幅を次第に狭くするように構成されており、その結果、上述したスキージ間隔２０Ｒは中央部が最も広く、左右先端側に行くに従って次第に狭くなるように構成されているため、先端部側に対して強い吸引力を発揮して、先端部から中央部へ向かう汚水の吸引力を維持する仕組に成っている。
【００２１】
図７の（イ）図と（ロ）図は、上述した後側のスキージブレード２２と、前側のスキージブレード２１の構成を説明した正面図であって、各ブレード面には取付ネジ２４用の穴２２Ｘ…，２１Ｘ…が設けられている、また、両スキージブレード２１，２２としては、例えば、硬度が４０°（±５）のゴム材が使用されていて、両ブレードの下端側２１Ｓ，２２Ｓを床面Ｆに接地させた状態でスキージ間隔２０Ｒに吸引ブロアー７の吸引作用を及ぼすと、両スキージブレード２１，２２の下端側２１Ｓ，２２Ｓが、図７の（ハ）図並びに図１０に示す様に屈曲して床面に面接着して、この面接着状態を維持したまま、床面洗浄機に牽引されて各図に於いて左方向に前進移動するように構成されている。尚、図７の（ハ）図に於いて、符号Ｌで示した各下端側２１Ｓ，２２Ｓの面接触幅は、３〜７ｍｍであって、髪の毛の様な細長い糸状のゴミがスキージブレード２１，２２に絡み付いても、糸引き状態で吸い残しの汚水が床面上に残らないように構成している。
【００２２】
また、上記前後のスキージブレードのうち、前側のスキージブレード２１の下端側２１Ｓには、図７の（ロ）図に示すように多数の汚水取込み用の切欠溝２１Ａ…を並べて多数形成すると共に、隣り合う各切欠溝２１Ａ…の並設間隔を、図示の如く中央部側を広く、左右先端側を狭く形成することによって、スキージの全長にわたって略均一の吸引力を発揮できるように構成されている。
【００２３】
図５は、スキージ２０の中央部分を拡大して示した底面図、図６の（イ）図は吸引ブロアー７が運転を始める前の同じくスキージ２０の中央部分の一部破断正面図、（ロ）図は吸引ブロアー７が吸引運転を行っている状態の同じくスキージ２０の中央部分の一部破断正面図であって、これ等の図面に於いて、２５は前記スキージフレーム２０Ｔの通気穴２０Ｚの下側で、且つ、通気穴２０Ｚに対向するように、スキージフレーム２０Ｔの中央底面部分に取付ネジ２６′，２６′を用いて固定したボトムプレートで、このボトムプレート２５の一側縁、即ち、スキージ２０の進行方向に対して後側の縁には切欠部２５Ｘが切欠形成されていて、上記通気穴２０Ｚとスキージ間隔２０Ｒの間を連通する横に細長い開口形状の連通路２７が構成されている。
【００２４】
図８と図９は、吸引ブロアー７が運転していない時の前後のスキージブレード２１，２２の状態と、前記吸引管８Ｂと、連通路２７と、ボトムプレート２５の下側に位置するスキージ間隔２０Ｒの断面形状（断面Ａ−Ａ、Ｂ−Ｂ、Ｃ部詳細）を示したものであって、因みに、各断面積はＡ−Ａ＝９９２ｍｍ2、Ｂ−Ｂ＝１８５ｍｍ2、Ｃ部詳細＝３１１ｍｍ2であるが、これ等の数値はいずれも実施の一例であることは勿論である。
【００２５】
これに対して、図１０と図１１は、吸引ブロアー７が吸引運転して、その吸引力によって前後のスキージブレード２１，２２の下端側２１Ｓ，２２Ｓが夫々屈曲した状態に於ける前記Ａ−Ａ断面と、Ｂ−Ｂ断面と、Ｃ部詳細の形状を説明したものであって、因みに、各部の断面積は、Ａ−Ａ＝９９２ｍｍ2、Ｂ−Ｂ＝１８５ｍｍ2、Ｃ部詳細＝８７ｍｍ2で、請求項５に記載のＣ＜Ｂ＜Ａの条件と、請求項６に記載のＢ＝０．１Ａ〜０．３Ａ、Ｃ＝０．０５Ａ〜０．２Ａの各条件を満たす構成に成っている。
【００２６】
従って、吸引ブロアー７の吸引運転時には、吸引管８Ｂと連通路２７とスキージ間隔２０Ｒから成る吸引経路の断面積を、先に行くに従って段階的に小さくするため、床面Ｆからの汚水ＤＷの吸引を強い力で確実に行うことができると共に、吸引した汚水ＤＷを回収ホース８を通して吸引ブロアー７側、即ち、汚水タンク１０側に円滑に送り出すことができる。
【００２７】
また、本発明では上述の如く通気穴２０Ｚの下側部に連通路２７を開口したボトムプレート２５を取付けた関係で、汚水ＤＷの吸引効率を高めてその回収率を向上させることができるものであって、例えば、図１２と図１３に示した従来型スキージの汚水回収率が９１．１％程度であったものを、本発明のスキージ２０ではこれを９６．８４％前後に向上させられることができ、更に、例えば２０リットルの洗浄液を床面Ｆに散布した場合に、その回収量が１９．３７リットル前後であることが実験の結果判明した。
【００２８】
尚、図１２と図１３に示した従来型スキージに於いて、各断面積はＡ−Ａ＝１２２５ｍｍ2、Ｂ−Ｂ＝８７３ｍｍ2、Ｃ部詳細＝５７５ｍｍ2であった。
【００２９】
【発明の効果】
以上述べた次第で、本発明に係る床面洗浄機用スキージによれば、優れた吸引作用を発揮できると同時に、汚水回収率を向上できるものであって、比較的小出力の吸引ブロアーによって強力な汚水吸引力を得られる利点を備え、且つ、髪の毛のような糸状のゴミが絡み付いても、糸引状の吸い残し跡を残さないように床面上の汚水をきれいに吸い取ることができる利点も備えるものであって、床面洗浄機による床面洗浄の品質を一段と向上させることができる。
【図面の簡単な説明】
【図１】  本発明に係るスキージを使用した床面洗浄機の一例を示した側断面図である。
【図２】  図１に示した床面洗浄機の平断面図である。
【図３】  本発明に係るスキージの正面図である。
【図４】  （イ）図は図３に示したスキージの平面図、（ロ）図はその底面図である。
【図５】  本発明の要部の構成を拡大して示したスキージの底面図である。
【図６】  （イ）図は本発明の要部の一部破断正面図で、（ロ）図は吸引運転時に於ける要部の一部破断正面図である。
【図７】  （イ）図は後側スキージブレードの正面図、（ロ）図は前側スキージブレードの正面図、（ハ）図は各スキージブレードの下端側の屈曲状態と面接触の状態を説明した説明図である。
【図８】  本発明に係るスキージの側断面図である。
【図９】  （イ）図と（ロ）図は夫々図８のＡ−Ａ線とＢ−Ｂ線に沿った断面図で、（ハ）は図８のＣ部詳細図である。
【図１０】  本発明に係るスキージの吸引運転時の側断面図である。
【図１１】  （イ）図と（ロ）図は夫々図１０のＡ−Ａ線とＢ−Ｂ線に沿った断面図で、  （ハ）は図１０のＣ部詳細図である。
【図１２】  従来のスキージの側断面図である。
【図１３】  （イ）図と（ロ）図は夫々図１２のＡ−Ａ線とＢ−Ｂ線に沿った断面図で、  （ハ）は図１２のＣ部詳細図である。
【符号の説明】
１              床面洗浄機の車体
５              洗浄ブラシ又はパッド
７              吸引ブロアー
８              回収ホース（フレキシブルホース）
８Ｂ            吸引管
１０            回収タンク
２０            スキージ
２０Ｔ          スキージフレーム
２０Ｚ          通気穴
２０Ｒ          スキージ間隔
２１，２２      スキージブレード
２１Ａ          切欠溝
２１Ｓ，２２Ｓ                スキージブレードの下端側
２５            ボトムプレート
２５Ｘ          切欠部
２７            連通路
Ｆ              床面
【図１】
0003871888.tif 000002
【図２】
0003871888.tif 000003
【図３】
0003871888.tif 000004
【図４】
0003871888.tif 000005
【図５】
0003871888.tif 000006
【図６】
0003871888.tif 000007
【図７】
0003871888.tif 000008
【図８】
0003871888.tif 000009
【図９】
0003871888.tif 000010
【図１０】
0003871888.tif 000011
【図１１】
0003871888.tif 000012
【図１２】
0003871888.tif 000013
【図１３】
0003871888.tif 000014